(57)【特許請求の範囲】
【請求項１】
発信側の移動通信端末からの着信があるとユーザによる着信操作を受けて応答動作する移動通信端末であって、
情報を表示する表示部と、
発信側の移動通信端末からネットワーク経由で通知された折り返し発信要求を取得する取得部と、
発信側の移動通信端末からの着信に対して無応答であった場合、該無応答着信のうち、前記折り返し発信要求の通知元の前記発信側の移動通信端末からの着信に対しては、該着信に対して前記折り返し発信要求が通知されたことを示す折り返し発信要求アイコンを前記表示部に表示させる表示制御部と、
前記表示部に前記折り返し発信要求アイコンが表示された前記発信側の移動通信端末を相手先としたユーザによる発信操作を受けて、前記折り返し発信要求に対応する発信を行う発信部とを具備し、
前記取得部は、前記発信部が前記折り返し発信要求に対応する発信を行い、該発信が留守番電話センターに接続された場合、該接続を検知したネットワーク側装置から通知された折り返し発信解除要求を取得し、
前記表示制御部は、前記取得部によって取得された前記折り返し発信解除要求に応じて、該当する前記折り返し発信要求アイコンを前記表示部から消去することを特徴とする移動通信端末。
【請求項２】
発信側の移動通信端末からの着信があるとユーザによる着信操作を受けて応答動作する移動通信端末であって、
情報を表示する表示部と、
発信側の移動通信端末からネットワーク経由で通知された折り返し発信要求を取得する取得部と、
発信側の移動通信端末からの着信に対して無応答であった場合、該無応答着信のうち、前記折り返し発信要求の通知元の前記発信側の移動通信端末からの着信に対しては、該着信に対して前記折り返し発信要求が通知されたことを示す折り返し発信要求アイコンを前記表示部に表示させる表示制御部と、
前記表示部に前記折り返し発信要求アイコンが表示された前記発信側の移動通信端末を相手先としたユーザによる発信操作を受けて、前記折り返し発信要求に対応する発信を行う発信部とを具備し、
前記取得部は、発信側の移動通信端末からネットワーク経由で通知された非折り返し発信要求を取得し、
前記表示制御部は、前記折り返し発信要求アイコンが前記表示部に表示されている場合、前記取得部によって取得された前記非折り返し発信要求に応じて、該当する前記折り返し発信要求アイコンを前記表示部から消去し、
前記折り返し発信要求アイコンが前記表示部に表示されていない場合、前記無応答着信のうち、前記非折り返し発信要求の通知元の前記発信側の移動通信端末からの着信に対しては、該着信に対して前記非折り返し発信要求が通知されたことを示す非折り返し発信要求アイコンを前記表示部に表示させることを特徴とする移動通信端末。
【請求項３】
発信側の移動通信端末からの着信があるとユーザによる着信操作を受けて応答動作する移動通信端末であって、
情報を表示する表示部と、
発信側の移動通信端末からネットワーク経由で通知された折り返し発信要求を取得する取得部と、
発信側の移動通信端末からの着信に対して無応答であった場合、該無応答着信のうち、前記折り返し発信要求の通知元の前記発信側の移動通信端末からの着信に対しては、該着信に対して前記折り返し発信要求が通知されたことを示す折り返し発信要求アイコンを前記表示部に表示させる表示制御部と、
前記表示部に前記折り返し発信要求アイコンが表示された前記発信側の移動通信端末を相手先としたユーザによる発信操作を受けて、前記折り返し発信要求に対応する発信を行う発信部とを具備し、
前記折り返し発信要求は、前記折り返し発信要求に対応する発信を拒否する拒否時間を含み、
前記発信部は、前記拒否時間内における前記折り返し発信要求に対応する発信を制限することを特徴とする移動通信端末。
【請求項４】
前記拒否時間は、前記折り返し発信要求を中継するネットワーク側装置によって、前記発信側の移動通信端末の在圏エリアと前記着信側の移動通信端末の在圏エリアとの時差に応じて、補正されることを特徴とする請求項３に記載の移動通信端末。
【請求項５】
発信側の移動通信端末からの着信があるとユーザによる着信操作を受けて応答動作する移動通信システムであって、
発信側の移動通信端末は、
着信側の移動通信端末に対して折り返し発信要求をネットワーク経由で通知する通知部を具備し、
着信側の移動通信端末は、
情報を表示する表示部と、
発信側の移動通信端末から通知された前記折り返し発信要求を取得する取得部と、
発信側の移動通信端末からの着信に対して無応答であった場合、該無応答着信のうち、前記折り返し発信要求が通知された前記発信側の移動通信端末からの着信に対しては、該着信に対して前記折り返し発信要求が通知されたことを示す折り返し発信要求アイコンを前記表示部に表示させる表示制御部と、
前記表示部に前記折り返し発信要求アイコンが表示された前記発信側の移動通信端末を相手先としたユーザによる発信操作を受けて、前記折り返し発信要求に対応する発信を行う発信部とを具備し、
前記取得部は、前記発信部が前記折り返し発信要求に対応する発信を行い、該発信が留守番電話センターに接続された場合、該接続を検知したネットワーク側装置から通知された折り返し発信解除要求を取得し、
前記表示制御部は、前記取得部によって取得された前記折り返し発信解除要求に応じて、該当する前記折り返し発信要求アイコンを前記表示部から消去することを特徴とする移動通信システム。
【請求項６】
発信側の移動通信端末からネットワーク経由で通知された折り返し発信要求を取得するステップと、
発信側の移動通信端末からの着信に対して無応答であった場合、該無応答着信のうち、前記折り返し要求が通知された前記発信側の移動通信端末からの着信に対しては、該着信に対して前記折り返し発信要求が通知されたことを示す折り返し発信要求アイコンを表示部に表示させるステップと、
前記表示部に前記折り返し発信要求アイコンが表示された前記発信側の移動通信端末を相手先としたユーザによる発信操作を受けて、前記折り返し発信要求に対応する発信を行うステップと、
前記折り返し発信要求に対応する発信を行い、該発信が留守番電話センターに接続された場合、該接続を検知したネットワーク側装置から通知された折り返し発信解除要求を取得するステップと、
前記折り返し発信解除要求に応じて、該当する前記折り返し発信要求アイコンを前記表示部から消去するステップと、を有することを特徴とする移動通信方法。
【発明の詳細な説明】
【技術分野】
【０００１】
本発明は、発信側の移動通信端末からの着信があるとユーザによる着信操作を受けて応答動作する移動通信端末に関する。
【背景技術】
【０００２】
移動通信システムにおいては、一般に、着信側の移動通信端末（以下、着信端末という）は、圏内に在圏していれば、発信側の移動通信端末（以下、発信端末という）から着信することが可能である。
【０００３】
しかしながら、着信端末に発信端末からの着信があっても、着信端末のユーザは、会議中や電車に乗っている等の事情により、当該着信に対していつでも応答できるとは限らない。
【０００４】
このような場合、着信端末のユーザは、応答できなかった着信の用件を確認するために、発信端末のユーザに対してコールバックを行うことが好ましいが、コールバックを行うことを忘れてしまう場合も多い。
【０００５】
そこで、従来コールバック忘れ防止策として、着信端末の着信履歴において、着信端末のユーザが応答できなかった着信と応答できた着信とを区別可能に表示して、着信端末のユーザにコールバックを促すことが知られている（例えば、特許文献１）。
【先行技術文献】
【特許文献】
【０００６】
【特許文献１】特開２００５-０７３２０６号公報
【発明の概要】
【発明が解決しようとする課題】
【０００７】
しかしながら、上述のようなコールバック忘れ防止策では、発信端末のユーザが着信端末のユーザからのコールバックを必要としていない場合であっても、着信端末のユーザが、コールバックを行ってしまう場合があるという問題点があった。
【０００８】
本発明は、かかる点に鑑みてなされたものであり、不必要なコールバックを行ってしまうのを防止するとともに、必要なコールバックを行い忘れるのを防止可能な移動通信端末、移動通信システム及び移動通信方法を提供することを目的とする。
【課題を解決するための手段】
【０００９】
本発明の移動通信端末は、発信側の移動通信端末からの着信があるとユーザによる着信操作を受けて応答動作する移動通信端末であって、情報を表示する表示部と、発信側の移動通信端末からネットワーク経由で通知された折り返し発信要求（コールバック要求）を取得する取得部と、発信側の移動通信端末からの着信に対して無応答であった場合、該無応答着信のうち、前記折り返し発信要求の通知元の前記発信側の移動通信端末からの着信に対しては、該着信に対して前記折り返し発信要求が通知されたことを示す折り返し発信要求アイコンを前記表示部に表示させる表示制御部と、前記表示部に前記折り返し発信要求アイコンが表示された前記発信側の移動通信端末を相手先としたユーザによる発信操作を受けて、前記折り返し発信要求に対応する発信（コールバック）を行う発信部とを具備し、前記取得部は、前記発信部が前記折り返し発信要求に対応する発信を行い、該発信が留守番電話センターに接続された場合、該接続を検知したネットワーク側装置から通知された折り返し発信解除要求を取得し、前記表示制御部は、前記取得部によって取得された前記折り返し発信解除要求に応じて、該当する前記折り返し発信要求アイコンを前記表示部から消去することを特徴とする。
【００１０】
この構成によれば、着信側の移動通信端末の表示制御部が、無応答着信のうち、折り返し発信要求を通知した発信側の移動通信端末からの着信に対しては該着信に対する折り返し発信要求アイコンを表示部に表示させる。このため、着信側の移動通信端末の着信に対して応答できなかったユーザは、発信側の移動通信端末に対して、折り返し発信要求に対応する発信、すなわちコールバックが必要か否かを認識でき、不必要なコールバックを行ってしまうのを防止するとともに、必要なコールバックを行い忘れるのを防止できる。
【００１４】
本発明の移動通信端末は、発信側の移動通信端末からの着信があるとユーザによる着信操作を受けて応答動作する移動通信端末であって、情報を表示する表示部と、発信側の移動通信端末からネットワーク経由で通知された折り返し発信要求を取得する取得部と、発信側の移動通信端末からの着信に対して無応答であった場合、該無応答着信のうち、前記折り返し発信要求の通知元の前記発信側の移動通信端末からの着信に対しては、該着信に対して前記折り返し発信要求が通知されたことを示す折り返し発信要求アイコンを前記表示部に表示させる表示制御部と、前記表示部に前記折り返し発信要求アイコンが表示された前記発信側の移動通信端末を相手先としたユーザによる発信操作を受けて、前記折り返し発信要求に対応する発信を行う発信部とを具備し、前記取得部は、発信側の移動通信端末からネットワーク経由で通知された非折り返し発信要求（非コールバック要求）を取得し、前記表示制御部は、前記折り返し発信要求アイコンが前記表示部に表示されている場合、前記取得部によって取得された前記非折り返し発信要求に応じて、該当する前記折り返し発信要求アイコンを前記表示部から消去し、前記折り返し発信要求アイコンが前記表示部に表示されていない場合、前記無応答着信のうち、前記非折り返し発信要求の通知元の前記発信側の移動通信端末からの着信に対しては、該着信に対して前記非折り返し発信要求が通知されたことを示す非折り返し発信要求アイコン（非コールバック要求アイコン）を前記表示部に表示させることを特徴とする。
【００１５】
本発明の移動通信端末は、発信側の移動通信端末からの着信があるとユーザによる着信操作を受けて応答動作する移動通信端末であって、情報を表示する表示部と、発信側の移動通信端末からネットワーク経由で通知された折り返し発信要求を取得する取得部と、発信側の移動通信端末からの着信に対して無応答であった場合、該無応答着信のうち、前記折り返し発信要求の通知元の前記発信側の移動通信端末からの着信に対しては、該着信に対して前記折り返し発信要求が通知されたことを示す折り返し発信要求アイコンを前記表示部に表示させる表示制御部と、前記表示部に前記折り返し発信要求アイコンが表示された前記発信側の移動通信端末を相手先としたユーザによる発信操作を受けて、前記折り返し発信要求に対応する発信を行う発信部とを具備し、前記折り返し発信要求は、前記折り返し発信要求に対応する発信を拒否する拒否時間を含み、前記発信部は、前記拒否時間内における前記折り返し発信要求に対応する発信を制限することを特徴とする。
【００１６】
また、本発明は、上記移動通信端末において、前記拒否時間は、前記折り返し発信要求を中継するネットワーク側装置によって、前記発信側の移動通信端末の在圏エリアと前記着信側の移動通信端末の在圏エリアとの時差に応じて、補正されることを特徴とする。
【００１７】
本発明の移動通信システムは、発信側の移動通信端末からの着信があるとユーザによる着信操作を受けて応答動作する移動通信システムであって、発信側の移動通信端末は、着信側の移動通信端末に対して折り返し発信要求をネットワーク経由で通知する通知部を具備し、着信側の移動通信端末は、情報を表示する表示部と、発信側の移動通信端末から通知された前記折り返し発信要求を取得する取得部と、発信側の移動通信端末からの着信に対して無応答であった場合、該無応答着信のうち、前記折り返し発信要求が通知された前記発信側の移動通信端末からの着信に対しては、該着信に対して前記折り返し発信要求が通知されたことを示す折り返し発信要求アイコンを前記表示部に表示させる表示制御部と、前記表示部に前記折り返し発信要求アイコンが表示された前記発信側の移動通信端末を相手先としたユーザによる発信操作を受けて、前記折り返し発信要求に対応する発信を行う発信部とを具備し、前記取得部は、前記発信部が前記折り返し発信要求に対応する発信を行い、該発信が留守番電話センターに接続された場合、該接続を検知したネットワーク側装置から通知された折り返し発信解除要求を取得し、前記表示制御部は、前記取得部によって取得された前記折り返し発信解除要求に応じて、該当する前記折り返し発信要求アイコンを前記表示部から消去することを特徴とする。
【００１８】
また、本発明の移動通信方法は、発信側の移動通信端末からネットワーク経由で通知された折り返し発信要求を取得するステップと、発信側の移動通信端末からの着信に対して無応答であった場合、該無応答着信のうち、前記折り返し要求が通知された前記発信側の移動通信端末からの着信に対しては、該着信に対して前記折り返し発信要求が通知されたことを示す折り返し発信要求アイコンを表示部に表示させるステップと、前記表示部に前記折り返し発信要求アイコンが表示された前記発信側の移動通信端末を相手先としたユーザによる発信操作を受けて、前記折り返し発信要求に対応する発信を行うステップと、前記折り返し発信要求に対応する発信を行い、該発信が留守番電話センターに接続された場合、該接続を検知したネットワーク側装置から通知された折り返し発信解除要求を取得するステップと、前記折り返し発信解除要求に応じて、該当する前記折り返し発信要求アイコンを前記表示部から消去するステップと、を有することを特徴とする。
【発明の効果】
【００１９】
本発明によれば、不必要なコールバックを行ってしまうのを防止するとともに、必要なコールバックを行い忘れるのを防止可能な移動通信端末、移動通信システム及び移動通信方法を提供することができる。
【図面の簡単な説明】
【００２０】
【図１】本発明の第１の実施形態に係る移動通信システムの概略図である。
【図２】本発明の第１の実施形態に係る移動通信端末のハードウェア構成図である。
【図３】本発明の第１の実施形態に係る移動通信端末の機能構成図である。
【図４】本発明の第１の実施形態に係る発信側の移動通信端末の表示画面を示す図である。
【図５】本発明の第１の実施形態に係る移動通信端末の記憶部の記憶内容を示す図である。
【図６】本発明の第１の実施形態に係る着信側の移動通信端末の表示画面を示す図である。
【図７】本発明の第１の実施形態に係る移動通信方法を示す第１のシーケンス図である。
【図８】本発明の第１の実施形態に係る移動通信方法を示す第２のシーケンス図である。
【図９】本発明の第２の実施形態に係る移動通信方法を示すシーケンス図である。
【図１０】本発明の第３の実施形態に係る移動通信方法を示すシーケンス図である。
【図１１】本発明の第３の実施形態に係る着信側の移動通信端末の表示画面を示す図である。
【図１２】本発明の第４の実施形態に係る着信側の移動通信端末の表示画面を示す図である。
【図１３】本発明の第４の実施形態に係る着信側の移動通信端末の動作を示すフローチャートである。
【図１４】本発明の変更例１に係る移動通信端末の記憶部の記憶内容を示す図である。
【図１５】本発明の変更例１に係る移動通信方法を示すシーケンス図である。
【図１６】本発明の変更例１に係る発信側の移動通信端末の表示画面を示す図である。
【図１７】本発明の変更例１に係る着信側の移動通信端末の表示画面を示す図である。
【図１８】本発明の変更例２に係る移動通信方法を示すシーケンス図である。
【発明を実施するための形態】
【００２１】
以下、本発明の実施の形態について、添付図面を参照して詳細に説明する。
【００２２】
［第１の実施形態］
図１は、本発明の第１の実施形態に係る移動通信システム１の概略図である。図１に示すように、移動通信システム１では、移動通信端末１０ｂが、移動通信端末１０ａからの着信があると、ユーザの着信動作を受けて応答動作を行うように構成されている。ネットワーク２０には、交換局等のネットワーク側装置２１が接続されており、ネットワーク側装置２１が、移動通信端末１０ａからの発信、移動通信端末１０ｂの着信、移動通信端末１０ａと移動通信端末１０ｂとの通信のために必要なその他処理を制御する。なお、このネットワーク側装置２１は、１つの装置でなく、複数の装置から構成されていてもよい。
【００２３】
また、移動通信端末１０ａと移動通信端末１０ｂとは、いずれも同じ構成を具備しているが、以下では、説明の便宜上、発信側を移動通信端末１０ａ（以下、発信端末１０ａ）とし、着信側を移動通信端末１０ｂ（以下、着信端末１０ｂ）とし、双方を区別しない場合は、総称して移動通信端末１０とする。
【００２４】
図２は、本発明の第１の実施形態に係る移動通信端末１０のハードウェア構成図である。図２に示すように、移動通信端末１０は、無線通信部１１、表示部１２、記憶部１３、操作部１４、制御部１５を具備する。
【００２５】
無線通信部１１は、アンテナ、ＲＦ部、ベースバンド信号処理部等から構成されており、変調処理やＲＦ処理を施した送信信号を基地局（図示なし）に送信し、基地局からの受信信号に対してＲＦ処理や復調処理を施す。
【００２６】
表示部１２は、制御部１５による制御に従って情報が表示される液晶画面である。記憶部１３は、ＲＯＭ、ＲＡＭ等のメモリから構成されており、アドレス帳、発信履歴、着信履歴、移動通信端末１０の各種機能を提供するプログラム等を記憶する。操作部１４は、ユーザによるキー操作に基づいて、ユーザからの指示を制御部１５に通知する。
【００２７】
制御部１５は、ＣＰＵであり、記憶部１３に記憶されたプログラムに従って無線通信部１１、表示部１２、記憶部１３、操作部１４等を制御することによって、移動通信端末１０の各種機能（例えば、発信機能、着信機能、通話機能、メール機能等）を提供する。
【００２８】
図３は、移動通信端末１０の制御部１５の機能ブロック図である。図３に示すように、移動通信端末１０の制御部１５は、移動通信端末１０の各種機能を実現する機能構成として、発着信部１５１、設定部１５２、通知部１５３、取得部１５４、表示制御部１５５を具備する。
【００２９】
発着信部１５１は、ユーザによる操作部１４の操作を受けて、着信側の移動通信端末１０に対する発信を行う。また、発着信部１５１（発信部）は、コールバック要求アイコン（後述）が表示された発信側の移動通信端末１０を相手先としたユーザによる発信操作を受けて、コールバック要求（後述）に応じた発信、すなわちコールバックを行う。また、発着信部１５１は、発信側の移動通信端末１０からの発信に応じた着信と、着信側の移動通信端末１０からのコールバックに応じた着信とを行う。さらに、発着信部１５１は、着信に応じたユーザを呼び出し、ユーザによる着信操作を受けて応答動作する。
【００３０】
設定部１５２は、コールバック要求の通知先を設定する。具体的には、設定部１５２は、ユーザによる操作部１４の操作に基づいて、着信側の全ての移動通信端末１０に対してコールバック要求を通知するか、指定した移動通信端末１０のみに対してコールバック要求を通知するか、或いは、すべての移動通信端末１０に対してコールバック要求を通知しないかを設定する。
【００３１】
例えば、設定部１５２は、発着信部１５１による発信が行われる前に、図４（ａ）に示す発信前設定画面を表示部１２に表示して、ユーザからの指示に基づいて、コールバック要求の通知先を設定する。
【００３２】
また、設定部１５２は、発着信部１５１による発信中に、図４（ｂ）に示す発信中設定画面を表示部１２に表示して、ユーザによる操作部１４の操作に基づいて、着信側の移動通信端末１０に対して、コールバック要求を通知するか否かを設定してもよい。
【００３３】
また、設定部１５２は、発着信部１５１による発信が行われた後に、図４（ｃ）に示す発信履歴画面を表示部１２に表示し、着信側の移動通信端末１０に対してコールバック要求を通知したか否かをユーザに明示してもよい。コールバック要求を通知していない移動通信端末１０（図４（ｃ）では、電話番号が「０９０２２２２２２２２」の移動通信端末１０）の選択がユーザによって指示された場合、設定部１５２は、図４（ｄ）に示す発信後設定画面を表示部１２に表示し、この移動通信端末１０に対して、コールバック要求を通知するか否かを設定してもよい。
【００３４】
通知部１５３は、設定部１５２によってコールバック要求（折り返し発信要求）を通知するように設定された移動通信端末１０に対して、コールバック要求を通知する。ここで、コールバック要求とは、発信側の移動通信端末１０に対するコールバックが必要であることを示すものである。
【００３５】
具体的には、通知部１５３は、発着信部１５１による発信時に、着信側の移動通信端末１０に対してコールバック要求を通知する。例えば、通知部１５３は、着信側の移動通信端末１０に対する呼接続要求コマンドの中にコールバック要求を示す識別子を追加することによって、着信側の移動通信端末１０に対してコールバック要求を通知する。
【００３６】
また、通知部１５３は、着信側の移動通信端末１０の着信に対してユーザが応答できなかった場合に、該着信側の移動通信端末１０に対してコールバック要求を通知してもよい。
【００３７】
取得部１５４は、発信側の移動通信端末１０から通知されたコールバック要求を取得する。具体的には、取得部１５４は、発信側の移動通信端末１０からの着信時に或いは当該着信に対してユーザが応答できなかったときに、発信側の移動通信端末１０から通知されたコールバック要求を取得する。
【００３８】
また、取得部１５４は、取得したコールバック要求に基づいて、図５に示すように、記憶部１３に発信側の移動通信端末１０の識別情報に関連づけられて記憶されるコールバック要否を“要”に更新する。さらに、取得部１５４は、コールバック要求を取得したことを示すコールバック要求応答を発信側の移動通信端末１０に対して通知する。
【００３９】
表示制御部１５５は、情報を表示部１２に表示させる。具体的には、表示制御部１５５は、発信側の移動通信端末１０からの着信に対してユーザが応答できなかった場合、該着信に対してコールバック要求が通知されたことを示すコールバック要求アイコン（折り返し発信要求アイコン）を表示部１２に表示させる。例えば、表示制御部１５５は、図６（ａ）に示すように、コールバック要求アイコン１２ａを表示部１２に表示させる。
【００４０】
また、表示制御部１５５は、コールバックに応じた発信側の移動通信端末１０の着信成功が検知された場合、図６（ｂ）に示すように、コールバック要求アイコン１２ａを表示部１２から消去する。一方、当該着信失敗が検知された場合、コールバック要求アイコン１２ａを表示部１２に表示し続ける。このように、表示制御部１５５は、コールバックに応じた発信側の移動通信端末１０の着信成功が検知されるまでは、コールバック要求アイコン１２ａを表示部１２に表示し続ける。
【００４１】
また、表示制御部１５５は、コールバック要求の通知元の全ての発信側の移動通信端末１０へのコールバックが成功するまでは、コールバック要求アイコン１２ａを表示部１２に表示し続けてもよい。
【００４２】
この場合、表示制御部１５５は、ユーザによる操作部１４の操作によって、図６（ａ）に示すコールバック要求アイコン１２ａの選択された場合、図６（ｃ）に示す着信履歴を表示部１２に表示させる。図６（ｃ）に示す着信履歴は、コールバックが必要な移動通信端末１０と、コールバックが不要な移動通信端末１０とをユーザが識別可能に表示される。具体的には、表示制御部１５５は、図５で示す記憶部１３に記憶されたコールバック要否が“要”である移動通信端末１０と“否”である移動通信端末１０との表示態様（例えば、色、背景、フォントなど）が異なるように表示させる。また、表示制御部１５５は、図６（ｄ）に示すように、コールバックが成功した移動通信端末１０（図６（ｄ）では、電話番号が「０９０１１１１１１１１」の移動通信端末１０）をユーザに明示してもよい。
【００４３】
次に、以上のように構成された第１の実施形態に係る移動通信システム１における移動通信方法について説明する。
【００４４】
図７は、本発明の第１の実施形態に係る移動通信システムにおける移動通信方法を示す第１のシーケンス図である。なお、本シーケンス図では、着信端末１０ｂが、発信端末１０ａ以外の他の発信端末からはコールバック要求を通知されていないものとする。
【００４５】
図７に示すように、発信端末１０ａの発着信部１５１が、ユーザによる操作部１４の操作に基づいて、着信端末１０ｂに対する発信を行う。また、発信端末１０ａの通知部１５３が、ネットワーク側装置２１に対して、着信端末１０ｂ宛てのコールバック要求を通知する（ステップＳ１０１）。
【００４６】
ネットワーク側装置２１は、発信端末１０ａからの発信に応じて、着信端末１０ｂに対する着信を行う（ステップＳ１０２）。
【００４７】
ネットワーク側装置２１は、発信端末１０ａからのコールバック要求を着信端末１０ｂに対して通知する（ステップＳ１０３）。
【００４８】
ここで、ネットワーク側装置２１は、着信端末１０ｂの着信成功を検知した後、当該着信に対して着信端末１０ｂのユーザが応答するか否かに関わらず、着信端末１０ｂに対してコールバック要求を通知してもよいし、或いは、当該着信に対して着信端末１０ｂのユーザが応答できなかった場合にのみ、着信端末１０ｂに対してコールバック要求を通知してもよい。例えば、ネットワーク側装置２１は、当該着信に対して着信端末１０ｂのユーザが応答せず、当該着信が留守番電話センター（図示なし）に接続された場合に、着信端末１０ｂに対してコールバック要求を通知してもよい。
【００４９】
また、ネットワーク側装置２１は、着信端末１０ｂに対する着信に係る処理時間が所定時間以上となった場合に、着信端末１０ｂに対してコールバック要求を通知してもよい。さらに、ネットワーク側装置２１は、着信端末１０ｂのユーザの操作に基づく応答保留状態が検知された後直ちに呼が切断された場合に、着信端末１０ｂに対してコールバック要求を通知してもよい。
【００５０】
着信端末１０ｂの表示制御部１５５は、通知されたコールバック要求に応じて、図６（ａ）に示すように、コールバック要求アイコン１２ａを表示部１２に表示させる（ステップＳ１０４）。
【００５１】
着信端末１０ｂの取得部１５４は、コールバック要求が着信端末１０ｂによって取得されたことを示すコールバック要求応答を、ネットワーク側装置２１を介して発信端末１０ａに通知する（ステップＳ１０５）。発信端末１０ａは、この通知により、着信端末１０ｂの表示部１２に、コールバック要求アイコン１２ａが表示された状態であることを検知する。
【００５２】
着信端末１０ｂの発着信部１５１は、ユーザによる操作部１４の操作に基づいて、発信端末１０ａに対するコールバックを行う（ステップＳ１０６）。
【００５３】
着信端末１０ｂの表示制御部１５５は、当該コールバックに応じた発信端末１０ａの着信成功が検知された場合、コールバック要求アイコン１２ａを表示部１２から消去する（ステップＳ１０７）。また、発信端末１０ａは、コールバックに応じた着信成功により、着信端末１０ｂの表示部１２から、コールバック要求アイコン１２ａが消去された状態であることを検知する。
【００５４】
図８は、本発明の第１の実施形態に係る移動通信システムにおける移動通信方法を示す第２のシーケンス図である。なお、図８のステップＳ２０１〜Ｓ２０５については、図７のステップＳ１０１〜Ｓ１０５と同様であるため、説明を省略する。
【００５５】
図８に示すように、着信端末１０ｂの発着信部１５１は、ユーザによる操作部１４の操作に基づいて、発信端末１０ａに対するコールバックを行う。しかしながら、着信端末１０ｂは、着信端末１０ｂが圏外である等の事情で、コールバックに失敗する（ステップＳ２０６）。
【００５６】
着信端末１０ｂの表示制御部１５５は、発信端末１０ａに対するコールバックの失敗を検知し、コールバック要求アイコン１２ａを表示部１２に表示し続ける（ステップＳ２０７）。
【００５７】
第１の実施形態に係る移動通信システム１によれば、着信端末１０ｂの表示制御部１５５が、コールバック要求の通知元の発信端末１０ａからの着信に対しては該着信に対するコールバック要求アイコン１２ａを表示部１２に表示させる。このため、着信端末１０ｂの着信に対して応答できなかったユーザは、発信端末１０ａに対するコールバックが必要か否かを認識でき、不必要なコールバックを行ってしまうのを防止するとともに、必要なコールバックを行い忘れるのを防止できる。
【００５８】
また、第１の実施形態に係る移動通信システム１によれば、着信端末１０ｂの表示制御部１５５が、着信端末１０ｂからのコールバック先の発信端末１０ａの着信成功により、コールバック要求アイコン１２ａが表示部１２から消去されるため、不必要となったコールバックを再度行ってしまうのを防止することができる。さらに、着信端末１０ｂの表示制御部１５５は、着信端末１０ｂからのコールバック先の発信端末１０ａの着信成功が検知されるまでは、コールバック要求アイコン１２ａを表示部１２から消去せずに表示し続けるため、必要なコールバックを行い忘れるのを防止できる。
【００５９】
[第２の実施形態]
次に、本発明の第２の実施形態に係る移動通信システム２について、第１の実施形態に係る移動通信システム１との相違点を中心に説明する。
【００６０】
第２の実施形態に係る移動通信システム２では、着信端末１０ｂの表示制御部１５５は、ネットワーク側装置２１から通知されるコールバック解除要求（折り返し発信解除要求）に応じて、表示部１２からコールバック要求アイコン１２ａを消去する。
【００６１】
具体的には、着信端末１０ｂの取得部１５４は、ネットワーク側装置２１から通知されたコールバック解除要求を取得する。コールバック解除要求は、コールバックが不要となったことを示すものである。例えば、コールバックに応じた発信端末１０ａの着信が留守番電話センター（図示なし）に接続された場合、該接続を検知したネットワーク側装置２１から、コールバック解除要求が通知される。また、取得部１５４は、取得したコールバック解除要求に基づいて、記憶部１３に発信端末１０ａの識別情報に関連づけられて記憶されるコールバック要否を“否”に更新する（図５参照）。
【００６２】
着信端末１０ｂの表示制御部１５５は、取得部１５４によって取得されたコールバック解除要求に応じて、表示部１２からコールバック要求アイコン１２ａを消去する。また、表示制御部１５５は、取得部１５４によってコールバック解除要求が取得されるまでは、コールバック要求アイコン１２ａを表示部１２に表示し続ける。
【００６３】
図９は、本発明の第２の実施形態に係る移動通信システムにおける移動通信方法を示すシーケンス図である。なお、図９のステップＳ３０１〜Ｓ３０５については、図７のステップＳ１０１〜Ｓ１０５と同様であるため、説明を省略する。また、本シーケンス図では、着信端末１０ｂが、発信端末１０ａ以外の他の発信端末からはコールバック要求を通知されていないものとする。
【００６４】
着信端末１０ｂの発着信部１５１は、ユーザによる操作部１４の操作に基づいて、発信端末１０ａに対するコールバックを行う（ステップＳ３０６）。コールバック先の発信端末１０ａが圏外等の理由により当該コールバックが失敗した場合、失敗した着信が留守番接続センターに接続される。
【００６５】
留守番接続センターへの接続を検知したネットワーク側装置２１は、当該コールバックが不要になったと判断し、発信端末１０ａ及び着信端末１０ｂに対して、コールバック解除要求を通知する（ステップＳ３０７）。
【００６６】
着信端末１０ｂの表示制御部１５５は、ネットワーク側装置２１から通知されたコールバック解除要求に応じて、コールバック要求アイコン１２ａを表示部１２から消去する（ステップＳ３０８）。また、発信端末１０ａは、ネットワーク側装置２１からのコールバック解除要求により、着信端末１０ｂの表示部１２から、コールバック要求アイコン１２ａが消去された状態であることを検知する。
【００６７】
第２の実施形態に係る移動通信システム２によれば、着信端末１０ｂの表示制御部１５５が、ネットワーク側装置２１から通知されたコールバック解除要求に応じて、コールバック要求アイコン１２ａを表示部１２から消去する。このため、着信端末１０ｂからのコールバックが留守番電話センターに接続された等の事情により、不要となったコールバックを再度行ってしまうのを防止することができる。
【００６８】
また、第２の実施形態に係る移動通信システム２によれば、着信端末１０ｂの表示制御部１５５が、ネットワーク側装置２１から通知されたコールバック解除要求が取得されるまでは、コールバック要求アイコン１２ａを表示部１２から消去せずに表示し続けるため、必要なコールバックを行い忘れるのを防止できる。
【００６９】
[第３の実施形態]
次に、本発明の第３の実施形態に係る移動通信システム３について、第１の実施形態に係る移動通信システム１との相違点を中心に説明する。
【００７０】
第３の実施形態に係る移動通信システム３では、着信端末１０ｂの表示制御部１５５は、発信端末１０ａから通知されるコールバック解除要求（折り返し発信解除要求）に応じて、コールバック要求アイコン１２ａを表示部１２から消去する。
【００７１】
具体的には、発信端末１０ａの通知部１５３は、コールバック要求を通知済みの着信端末１０ｂに対して、当該コールバック要求を解除するコールバック解除要求を通知する。例えば、通知部１５３は、先の電話の用件を示すメールを着信端末１０ｂに送信する際に、当該メールにコールバック解除要求を付加することにより、着信端末１０ｂに対してコールバック解除要求を通知する。
【００７２】
着信端末１０ｂの取得部１５４は、発信端末１０ａから通知されたコールバック解除要求を取得する。また、取得部１５４は、取得したコールバック解除要求に基づいて、記憶部１３に発信端末１０ａの識別情報に関連づけられて記憶されるコールバック要否を“否”に更新する（図５参照）。
【００７３】
着信端末１０ｂの表示制御部１５５は、取得部１５４によって取得されたコールバック解除要求に応じて、表示部１２からコールバック要求アイコン１２ａを消去する。
【００７４】
図１０は、本発明の第３の実施形態に係る移動通信システムにおける移動通信方法を示すシーケンス図である。なお、本シーケンス図では、着信端末１０ｂが、発信端末１０ａからのコールバック要求を通知されており、かつ、発信端末１０ａ以外の他の発信端末からはコールバック要求を通知されていないものとする。
【００７５】
発信端末１０ａの通知部１５３は、先の電話の用件を示すメールを着信端末１０ｂに送信する際に、当該着信端末１０ｂ宛てのメールにコールバック解除要求を付加することにより、着信端末１０ｂに対してコールバック解除要求を通知する（ステップＳ４０１）。
【００７６】
ネットワーク側装置２１は、発信端末１０ａからの着信端末１０ｂ宛てのメールを着信端末１０ｂに転送する（ステップＳ４０２）。
【００７７】
着信端末１０ｂの取得部１５４は、発信端末１０ａからのメールに付加されたコールバック解除要求を取得し、表示制御部１５５は、取得部１５４によって取得されたコールバック解除要求に応じて、図１１（ａ）に示すように、コールバック解除要求が通知されたことを示すメール画面を表示部１２に表示させる。その後、表示制御部１５５は、図１１（ｂ）に示すように、コールバック要求アイコン１２ａを表示部１２から消去する（ステップＳ４０３）。
【００７８】
ネットワーク側装置２１は、着信端末１０ｂ宛てのメールの送信が完了したことを示すメール送信完了通知を発信端末１０ａに送信する（ステップＳ４０４）。
【００７９】
第３の実施形態に係る移動通信システム３によれば、着信端末１０ｂの表示制御部１５５が、発信端末１０ａから通知されたコールバック解除要求に応じて、コールバック要求アイコン１２ａを表示部１２から消去する。このため、発信端末１０ａのユーザがメール等で用件を済ませた等の事情により不必要となったコールバックを再度行ってしまうのを防止することができる。
【００８０】
また、第３の実施形態に係る移動通信システム３によれば、着信端末１０ｂの表示制御部１５５が、発信端末１０ａから通知されたコールバック解除要求が取得されるまでは、コールバック要求アイコン１２ａを表示部１２から消去せずに表示し続けるため、必要なコールバックを行い忘れるのを防止できる。
【００８１】
[第４の実施形態]
次に、本発明の第４の実施形態に係る移動通信システム４について、第１の実施形態に係る移動通信システム１との相違点を中心に説明する。
【００８２】
第４の実施形態に係る移動通信システム４では、着信端末１０ｂの表示制御部１５５が、発信端末１０ａから通知された非コールバック要求（非折り返し発信要求）が取得部１５４によって取得された場合、表示部１２にコールバック要求アイコン１２ａを表示しているか否かに基づいて、コールバック要求アイコン１２ａを表示部１２から消去するか、或いは、非コールバック要求アイコン１２ｂ（非折り返し発信要求アイコン）を表示部１２に表示させる。
【００８３】
具体的には、発信端末１０ａの通知部１５３は、着信端末１０ｂに対して、非コールバック要求を通知する。ここで、非コールバック要求とは、コールバックが不要であることを示すものである。
【００８４】
着信端末１０ｂの取得部１５４は、発信端末１０ａから通知された非コールバック要求を取得する。また、取得部１５４は、取得した非コールバック要求に基づいて、記憶部１３に発信端末１０ａの識別情報に関連づけられて記憶されるコールバック要否を“否”に更新する（図５参照）。
【００８５】
着信端末１０ｂの表示制御部１５５は、コールバック要求アイコン１２ａが表示部１２に表示されているか否かを判断する。コールバック要求アイコン１２ａが表示部１２に表示されている場合、取得部１５４によって取得された非コールバック要求に応じて、コールバック要求アイコン１２ａを表示部１２から消去する。一方、コールバック要求アイコン１２ａが表示部１２に表示されていない場合、表示制御部１５５は、ユーザが応答できなかった着信のうち、非コールバック要求の通知元の発信端末１０ａからの着信に対しては、図１２に示すように、該着信に対して非コールバック要求が通知されたことを示す非コールバック要求アイコン１２ｂを表示部１２に表示させる。
【００８６】
図１３は、本発明の第４の実施形態に係る移動通信システムにおける着信端末１０ｂの動作を示すフローチャートである。
【００８７】
図１３に示すように、着信端末１０ｂの取得部１５４は、発信端末１０ａから通知された非コールバック要求を取得する（ステップＳ５０１）。
【００８８】
着信端末１０ｂの表示制御部１５５は、コールバック要求アイコン１２ａを表示部１２に表示しているか否かを判断する（ステップＳ５０２）。
【００８９】
コールバック要求アイコン１２ａを表示部１２に表示している場合、着信端末１０ｂの表示制御部１５５は、ステップＳ５０１で取得された非コールバック要求に応じて、表示部１２からコールバック要求アイコン１２ａを消去する（ステップＳ５０３）。
【００９０】
コールバック要求アイコン１２ａを表示部１２に表示していない場合、着信端末１０ｂの表示制御部１５５は、図１２に示すように、ステップＳ５０１で取得された非コールバック要求に対応する非コールバック要求アイコン１２ｂを表示部１２に表示させる（ステップＳ５０４）。
【００９１】
第４の実施形態に係る移動通信システム４によれば、着信端末１０ｂの表示制御部１５５は、コールバック要求アイコン１２ａを表示部１２に表示している場合、発信端末１０ａから通知された非コールバック要求に応じて、コールバック要求アイコン１２ａを表示部１２から消去する。このため、発信端末１０ａのユーザがコールバックを望まない状況となった等の事情により、不必要となったコールバックを再度行ってしまうのを防止できる。
【００９２】
また、第４の実施形態に係る移動通信システム４によれば、着信端末１０ｂの表示制御部１５５が、コールバック要求アイコン１２ａを表示部１２に表示していない場合、発信端末１０ａから通知された非コールバック要求に対応する非コールバック要求アイコン１２ｂを表示部１２に表示させる。このため、着信端末１０ｂの着信に対して応答できなかったユーザは、発信端末１０ａに対するコールバックが不要であることを明示的に認識でき、不必要なコールバックを行ってしまうのをより効果的に防止できる。
【００９３】
[変更例１]
次に、本発明の第１〜４の実施形態の変更例１に係る移動通信システム５について、第１の実施形態に係る移動通信システム１との相違点を中心に説明する。
【００９４】
変更例１に係る移動通信システム５では、着信端末１０ｂからのコールバックを拒否する拒否時間を含むコールバック要求を着信端末１０ｂに通知することにより、着信端末１０ｂが、拒否時間内に発信端末１０ａに対するコールバックを行うのを阻止する。
【００９５】
具体的には、発信端末１０ａの設定部１５２は、ユーザによる操作部１４の操作に基づいて、着信端末１０ｂからのコールバックを拒否する拒否時間を設定する。また、通知部１５３は、設定部１５２で設定されたコールバックの拒否時間を含むコールバック要求を着信端末１０ｂに通知する。
【００９６】
ネットワーク側装置２１は、発信端末１０ａからのコールバック要求を取得し、発信端末１０ａの在圏エリアと着信端末１０ｂの在圏エリアとの時差に応じて、コールバック要求に含まれる拒否時間を補正する。ネットワーク側装置２１は、時差に応じて補正された拒否時間である補正拒否時間を含むコールバック要求を、着信端末１０ｂに通知する。
【００９７】
着信端末１０ｂの取得部１５４は、ネットワーク側装置２１から通知されたコールバック要求を取得する。また、取得部１５４は、発信端末１０ａに対するコールバックの拒否時間として、取得したコールバック要求に含まれる補正拒否時間を設定する。また、取得部１５４は、取得したコールバック要求に基づいて、図１４に示すように、記憶部１３に発信端末１０ａの識別情報と、補正拒否時間と、拒否要求ステータスとを関連付けて記憶する。ここで、拒否要求ステータスとは、現在時間がコールバックの補正拒否時間内であるか否かを示すものであり、現在時間が補正拒否時間内である場合『要求中』となり、現在時間が補正拒否時間外である場合『要求なし』が設定される。
【００９８】
着信端末１０ｂの発着信部１５１は、補正拒否時間内における発信端末１０ａに対するコールバックを拒否する。着信端末１０ｂの表示制御部１５５は、補正拒否時間内のため発信端末１０ａへの発信を拒否したことを示すコールバック拒否画面（後述する図１７（ｂ）参照）を表示部１２に表示させる。
【００９９】
図１５は、本発明の変更例１に係る移動通信システムにおける移動通信方法を示すシーケンス図である。なお、本シーケンス図では、着信端末１０ｂが、発信端末１０ａ以外の他の発信端末からはコールバック要求を通知されていないものとする。
【０１００】
図１５に示すように、発信端末１０ａの設定部１５２が、ユーザによる操作部１４の操作に基づいて、着信端末１０ｂからのコールバックを拒否する拒否時間を設定する（ステップＳ６０１）。例えば、設定部１５２は、図１６（ａ）（ｂ）に示すように、『１：００〜６：００』を拒否時間として設定する。
【０１０１】
発信端末１０ａの発着信部１５１が、ユーザによる操作部１４の操作に基づいて、着信端末１０ｂに対する発信を行う。また、発信端末１０ａの通知部１５３が、着信端末１０ｂに対して、ステップＳ６０１で設定された拒否時間を含むコールバック要求を、ネットワーク側装置２１に対して通知する（ステップＳ６０２）。
【０１０２】
ネットワーク側装置２１は、発信端末１０ａからの発信に応じて、着信端末１０ｂに対する着信を行う（ステップＳ６０３）。
【０１０３】
ネットワーク側装置２１は、発信端末１０ａの在圏エリアと着信端末１０ｂの在圏エリアとの時差に応じて、コールバック要求に含まれる拒否時間を補正する（ステップＳ６０４）。例えば、ネットワーク側装置２１は、拒否時間『１：００〜６：００』を、補正拒否時間『１１：００〜１６：００』に補正する。
【０１０４】
ネットワーク側装置２１は、ステップＳ６０４補正された拒否時間である補正拒否時間を含むコールバック要求を、着信端末１０ｂに通知する（ステップＳ６０５）。
【０１０５】
着信端末１０ｂの取得部１５４は、補正拒否時間を含むコールバック要求を取得し、図１４に示すように、発信端末１０ａの識別情報と補正拒否時間と拒否要求ステータスとを関連付けて記憶部１３に記憶する（ステップＳ６０６）。
【０１０６】
着信端末１０ｂの表示制御部１５５は、取得部１５４によって取得されたコールバック要求に応じて、コールバック要求アイコン１２ａ（例えば、図６（ａ））を表示部１２に表示させる（ステップＳ６０７）。なお、表示制御部１５５は、ユーザによる操作部１４の操作によって、コールバック要求アイコン１２ａが選択されると、図１７（ａ）に示すように、補正拒否時間をユーザに示す拒否時間通知画面を表示部１２に表示させる。また、補正拒否時間内にユーザによってコールバックを指示する発信操作が行われた場合、発着信部１５１は、当該コールバックを拒否し、表示制御部１５５は、図１７（ｂ）に示すように、コールバックを拒否するコールバック拒否画面を表示部１２に表示させる。
【０１０７】
変更例１に係る移動通信システム５によれば、発信端末１０ａから通知されたコールバック要求内に、着信端末１０ｂからのコールバックを拒否する拒否時間が含まれている。このため、発信端末１０ａからの着信に対して応答できなかった着信端末１０ｂのユーザが、発信端末１０ａのユーザが望まない時間にコールバックを行ってしまうのを防止できる。
【０１０８】
また、変更例１に係る移動通信システム５によれば、ネットワーク側装置２１が、発信端末１０ａからのコールバック要求に含まれる拒否時間を、発信端末１０ａの在圏エリアと着信端末１０ｂの在圏エリアとの時差に応じて補正する。このため、発信端末１０ａの在圏エリアと着信端末１０ｂの在圏エリアとに時差がある場合であっても、適切に、着信端末１０ｂのユーザが、発信端末１０ａのユーザの望まない時間にコールバックを行ってしまうのを防止できる。
【０１０９】
[変更例２]
次に、本発明の第１〜４の実施形態の変更例２に係る移動通信システム６について、第１の実施形態に係る移動通信システム１との相違点を中心に説明する。
【０１１０】
変更例２に係る移動通信システム６では、ネットワーク側装置２１が、着信端末１０ｂがコールバック要求に対応した端末であるか否かを判断し、判断結果に基づいて発信端末１０ａからのコールバック要求を拒否する。
【０１１１】
具体的には、ネットワーク側装置２１は、着信端末１０ｂがコールバック要求の対応端末であるか或いは非対応端末であるかを管理する。ネットワーク側装置２１は、発信端末１０ａから着信端末１０ｂへのコールバック要求を取得すると、着信端末１０ｂが、コールバック要求の対応端末であるか否かを判断する。着信端末１０ｂが対応端末である場合、上述のように、ネットワーク側装置２１は、着信端末１０ｂに対して、コールバック要求を転送する。一方、着信端末１０ｂが対応端末ではない場合、ネットワーク側装置２１は、発信端末１０ａに対して、着信端末１０ｂがコールバック要求の非対応端末であることを示すコールバック要求不可通知を通知する。
【０１１２】
図１８は、本発明の変更例２に係る移動通信システム６における移動通信方法を示すシーケンス図である。なお、図１８のステップＳ７０１〜Ｓ７０２については、図７のステップＳ１０１〜Ｓ１０２と同様であるため、説明を省略する。
【０１１３】
図１８に示すように、ネットワーク側装置２１は、発信端末１０ａからコールバック要求に応じて、着信端末１０ｂがコールバック要求の対応端末であるか否かを判断する（ステップＳ７０３）。
【０１１４】
着信端末１０ｂが対応端末ではない場合、ネットワーク側装置２１は、発信端末１０ａに対して、着信端末１０ｂがコールバック要求の非対応端末であることを示すコールバック要求不可通知を通知する（ステップＳ７０４）。
【０１１５】
発信端末１０ａの表示制御部１５５は、ネットワーク側装置２１からのコールバック要求不可通知に応じて、着信端末１０ｂがコールバック要求の対応端末ではないため、コールバック要求を通知できないことを示す画面を表示部１２に表示させる（ステップＳ７０５）。
【０１１６】
変更例２に係る移動通信システム６によれば、発信端末１０ａは、ネットワーク側装置２１からのコールバック要求不可通知により、着信端末１０ｂがコールバック要求の対応端末ではないことを検知することができる。このため、発信端末１０ａのユーザは、メール等の他の手段を使用して、着信端末１０ｂのユーザと連絡を取る対応を容易に行うことができる。
【０１１７】
[その他の変更例]
着信端末１０ｂが、同じ発信端末１０ａから通知された、コールバック要求、コールバック解除要求、非コールバック要求、補正拒否時間を含むコールバック要求を取得した場合、着信端末１０ｂは、最新の通知に基づいて、記憶部１３の更新や、表示部１２の表示制御を行ってもよい。なお、上述の第１〜４実施形態と変更例１または２に係る移動通信システムは、組み合わせて用いることも可能である。
【符号の説明】
【０１１８】
１〜５…移動通信システム、１０、１０ａ、１０ｂ…移動通信端末、２０…ネットワーク、２１…ネットワーク側装置、１１…無線通信部、１２…表示部、１２ａ…コールバック要求アイコン、１２ｂ…非コールバック要求アイコン、１３…記憶部、１４…操作部、１５…制御部、１５１…発着信部、１５２…設定部、１５３…通知部、１５４…取得部、１５５…表示制御部、
【図１】
0005511550.tif 000002
【図２】
0005511550.tif 000003
【図３】
0005511550.tif 000004
【図４】
0005511550.tif 000005
【図５】
0005511550.tif 000006
【図６】
0005511550.tif 000007
【図７】
0005511550.tif 000008
【図８】
0005511550.tif 000009
【図９】
0005511550.tif 000010
【図１０】
0005511550.tif 000011
【図１１】
0005511550.tif 000012
【図１２】
0005511550.tif 000013
【図１３】
0005511550.tif 000014
【図１４】
0005511550.tif 000015
【図１５】
0005511550.tif 000016
【図１６】
0005511550.tif 000017
【図１７】
0005511550.tif 000018
【図１８】
0005511550.tif 000019